(57)【要約】要約課題  プラスチック製のＢＢ弾よりも質量の大きい弾丸が使用された場合でも、発射された弾丸の運動エネルギーが規定値を超えないようにする。解決手段  気流の噴射径路上に弾丸を配置し、圧縮気流により発射する模擬銃において、弾丸１５の発射威力を弾丸の質量に応じて抑制する手段として、圧縮気流を漏洩させる気流漏洩部２０を、上記噴射径路又は噴射径路に通じる部分に形成する。選択図          図２
2015198393.tif 000002
【特許請求の範囲】
【請求項１】
気流の噴射径路上に弾丸を配置し、圧縮気流により発射する模擬銃において、
弾丸の発射威力を弾丸の質量に応じて抑制する手段として、圧縮気流を漏洩させる気流漏洩部を、上記噴射径路又は噴射径路に通じる部分に形成したことを特徴とする
模擬銃における威力抑制装置。
【請求項２】
気流漏洩部は、弾丸の配置されている噴射径路上の位置よりも上流に位置しており、かつまた、圧縮気流が通過し得る常時開口の流路である
請求項１記載の模擬銃における威力抑制装置。
【請求項３】
気流漏洩部は、圧縮気流が通過し得る噴射径路又は噴射径路に、直接通じる部分に形成された、常時開口の小孔又は隙間によって構成されている
請求項１又は２記載の模擬銃における威力抑制装置。
【請求項４】
気流漏洩部は、弾丸の配置されている噴射径路上の位置の上流から下流にかけての部分に形成されている
請求項１記載の模擬銃における威力抑制装置。
【発明の詳細な説明】
【技術分野】
【０００１】
本発明は気流の噴射径路上に弾丸を配置し、圧縮気流により発射する模擬銃において、発射威力を抑制する装置に関するものである。
【背景技術】
【０００２】
エアガン又はガスガンなどの模擬銃については、銃砲刀剣類所持等取締法第１条の２等において発射された弾丸の運動エネルギーについて規定されており、それによれば６ｍｍの弾丸を使用した場合、特定された測定点におけるエネルギーが３．５Ｊ／ｃｍ２よりも大きくなると準空気銃の扱いとなると理解される。従って、上記の規定値を超えるガスガンは製造されていない。しかし、幾つかの条件が重なった場合には、一時的に規定値を超えることも考えられる。例えば、真夏の高温下での使用は上記の問題を生じさせる可能性がある。【０００３】
温度条件とは別に、メーカーの意図していない弾丸を用いたときには、それも問題になり得る。この種の模擬銃では上記のとおり直径６ｍｍの弾丸が使用され、ＢＢ弾と呼ばれている。そのＢＢ弾として、各メーカーから販売されているのはプラスチック成形品であるが、ボールベアリングの直径６ｍｍの金属球を弾丸に流用した例も報告されている。このため、通常使用されるプラスチック製ＢＢ弾以外の重量弾の使用、真夏の高温下での使用及び通常使用される１３４ａなどのガス以外のハイパワーなパワーソース（ＣＯ２）の使用等の条件が組み合わされると、予測不能な弾速の上昇現象が発生し得る。【０００４】
このように、プラスチック製ＢＢ弾よりも質量の大きい、金属製ボールベアリングなどが弾丸として使用されることは、メーカー各社にとって見過ごしにできない事態である。何らかの対策を講じなければ、期せずして違法行為が見逃される恐れもあり、当業界にとっても好ましいことではないからである。しかしながら、予想していなかった事態であるので金属製弾丸を区別したり、排除したりする技術も知られていない。【０００５】
先行技術を調査すると、特開２００９−１４３２７号のエアガンに関する発明が見出された。同号の発明は、ガス放出流路内に設けられ、ガス蓄圧室からインナーバレルへ放出される圧縮ガスの圧力および流量が一定以上の値になると自動的にガス放出流路内からインナーバレルへの流路を自動バルブが、狭めつつ閉鎖することによりガス蓄圧室からインナーバレルへ放出される圧縮ガスの圧力および流量を調整するという構成を有する。しかしながら、自動バルブという部材の追加による複雑化の問題もあり、また、弾丸が発射される前に自動バルブがガス放出口を閉じないとはいえないなど、実用化には疑問が残る。【０００６】
【特許文献１】特開２００９−１４３２７号
【発明の開示】
【発明が解決しようとする課題】
【０００７】
本発明は前記の点に鑑みなされたもので、その課題は、プラスチック製のＢＢ弾よりも質量の大きい弾丸が使用された場合でも、発射された弾丸の運動エネルギーが規定値を超えないようにするもので、特に、最も簡便な模擬銃における威力抑制装置を提供することである。また、本発明の他の課題は、プラスチック製のＢＢ弾とそれよりも質量の大きい弾丸を混合使用した場合において、ＢＢ弾による運動エネルギーをほとんど低下させずに済む模擬銃における威力抑制装置を提供することである。
【課題を解決するための手段】
【０００８】
前記の課題を解決するため、本発明は気流の噴射径路上に弾丸を配置し、圧縮気流により発射する模擬銃において、弾丸の発射威力を弾丸の質量に応じて抑制する手段として、圧縮気流を漏洩させる気流漏洩部を、上記噴射径路又は噴射径路に通じる部分に形成するという手段を講じたものである。本発明の適用が可能な模擬銃は、圧縮気流を使用する模擬銃であり、空気を使用するエアガンと空気以外の気体を使用するいわゆるガスガンが主なものである。従って、本発明において、圧縮気流は、圧縮空気と、圧縮された空気以外の気体の流れを総称するものである。【０００９】
その模擬銃の構成において、本発明の装置は、圧縮気流を漏洩させる気流漏洩部を有することを特徴とする。圧縮気流は、ＢＢ弾にも金属製の弾丸にも同等の加圧力で噴射されるが、弾丸に作用する加速度は、作用力に比例し、弾丸の質量に反比例するというニュートンの運動方程式に従う。【００１０】
すなわち、より軽量な（質量の小さい）弾丸はより小さい運動エネルギーで移動を開始するのに対し、より重量物（質量の大きい）の弾丸はより大きい運動エネルギーでなければ移動を開始することができない。つまり、より軽量であるＢＢ弾は気流の漏洩時間が短くして発射されるのに対して、より重量物である金属製の弾丸が発射されるまでには気流の漏洩時間も長くかかる。一方、１発の弾丸発射に使われる圧縮気流の量は一定であり、漏洩分だけ威力が抑制されることになる。【００１１】
本発明の装置として、気流漏洩部が、圧縮気流が通過し得る噴射径路又は噴射径路に、直接通じる部分に形成された、常時開口の小孔又は隙間によって構成されている形態は、好ましいものである。常時開口の気流漏洩部であれば、構成がより単純化され、また、気流を漏洩させない方式と比較して弾丸発射までの時間差もより少なくて済む。【００１２】
気流漏洩部は、弾丸の配置されている噴射径路上の位置よりも上流に位置しており、かつまた、圧縮気流が通過し得る常時開口の流路であるという構成は、本発明にとって一つの好ましい形態である。しかし、気流漏洩部は、弾丸の配置されている噴射径路上の位置の上流から下流にかけての部分に形成されるという形態も取り得る。
【発明の効果】
【００１３】
本発明は以上のように構成され、かつ、作用するものであるから、プラスチック製のＢＢ弾との比較において、より質量の大きい金属製などの弾丸が使用された場合でも、発射された弾丸の運動エネルギーが規定値を超えないように威力を抑制することが、常時開口の流路という最も簡便な構成によって達成できるという効果を奏する。また、本発明によれば、プラスチック製のＢＢ弾とそれよりも質量の大きい金属製などの弾丸を混合使用した場合において、ＢＢ弾による運動エネルギーをほとんど低下させずに済む模擬銃における威力抑制装置を提供することができる。
【発明を実施するための最良の形態】
【００１４】
以下図示の実施形態を参照して本発明をより詳細に説明する。図１は本発明に係る威力抑制装置を適用する模擬銃１０を示しており、模擬銃１０としては、圧縮空気を使用するエアガンと空気以外の気体を使用するガスガンが主なものである。図１ないし図６に示す例はガスガンの場合である。【００１５】
ガスガンは圧縮気流として圧縮ガスを使用するもので、その概略について説明するが、具体的な構成は公知のものと同様で良い。圧縮ガスはガス源１１に充填されており、トリガー１２の操作に伴ってガス放出を制御する放出弁１３から噴射径路１４に放出され、バレル１６の後部の装弾部に配置されている弾丸１５に噴射される。放出された圧縮ガスが流れる噴射径路１４にはスライドシリンダー１７が装備されており、マガジン１９から供給される弾丸１５を、前後方向へのスライドにより装弾部に配置するように構成されている。【００１６】
本発明に係る威力抑制装置と直接関係するものではないが、スライドシリンダー１７の内部に設けられている弁装置１８について説明しておく。弁装置１８は弾丸発射の後にバレル側への圧縮気流の流出を一時的に閉塞し、シリンダー内部に留めて後方に位置するピストン２７、及びそれと一体のスライドを後退させ、模擬的なブローバックを起させるものである。弁装置１８は内部に配置された付勢手段１８ａのコイルばねによってガス流の上流方向に付勢され、スライドにより側面の開口部１８ｂの面積が変化するように構成されている。【００１７】
本発明に係る威力抑制装置において、気流漏洩部２０は、弾丸１５の配置されている噴射径路上の位置よりも上流に位置しており、かつまた、圧縮気流が通過し得る常時開口の流路として構成されている。上記弾丸１５の配置されている噴射径路上の位置とは、バレル１６の後部の装弾部である。このようなガスガンに適用される威力抑制装置の実施形態について、図２ないし図６を参照して説明する。なお、各図中の矢印は、各例における圧縮気流の流れ方向を概略的に示している。【００１８】
図２に示すガスガン用威力抑制装置の例１において、気流漏洩部２０は、圧縮気流が通過し得る噴射径路１４の一部であるバレル後端部に開けられた、常時開口の流路である小孔２１として構成されている。実施形態の各例では装弾部にホップアップ装置２６が設けられており、このため小孔２１はバレル１６とホップアップ装置の筒材の両方を貫通する構造として、噴射径路外に圧縮気流を漏洩させるものである。【００１９】
図３に示すガスガン用威力抑制装置の例２では、気流漏洩部２０は、圧縮気流が通過し得る噴射径路１４の一部であるバレル１６の口径を弾丸１５の直径よりも一回り大径に設けることで、隙間２２が弾丸１５の周囲に出来るように構成されている。隙間２２であるから常時開口の流路であると言える。例２の場合、装弾部に設けたホップアップ装置２６は、やや長めに形成されている。例２の隙間２２は弾丸１５の周囲にて圧縮気流を漏洩させる。【００２０】
図４に示すガスガン用威力抑制装置の例３において、気流漏洩部２０は、圧縮気流が通過し得る噴射径路１４の一部としてスライドシリンダー１７のノズル１７ａに開けられた、常時開口の流路である小孔２３として構成されている。例３の場合には装弾部よりも後方の位置に、スライドシリンダーノズル１７ａを貫通する構造として小孔２３が設けられており、噴射径路外に圧縮気流を漏洩させるものとして構造的に最も簡単である。【００２１】
図５に示すガスガン用威力抑制装置の例４では、気流漏洩部２０は、圧縮気流が通過し得る噴射径路１４の一部としてスライドシリンダー１７の本体部分に設けられた、常時開口の流路である小孔２４として構成されている。例４の場合には装弾部よりも後方、かつ、ピストン２７よりも前方の位置に、スライドシリンダーノズル１７ａを貫通する構造として小孔２４が設けられている。よって、これも噴射径路外に圧縮気流を漏洩させるものとして構造的に簡単である。【００２２】
図６に示すガスガン用威力抑制装置の例５では、気流漏洩部２０は、圧縮気流が通過し得る噴射径路１４の一部であるバレル後端部とスライドシリンダーノズル１７ａとの間に設けた、隙間２５として構成されている。これも隙間２５であるから常時開口の気流漏洩部といえる。例５の隙間２５は、スライドシリンダー１７の前進位置の調整によって設定することができる。【００２３】
さらに本発明に係る威力抑制装置として、圧縮空気を使用するエアガンに適用した例について説明する。図７はエアガンの基本的構成を示しており、ガスガンのガス源の代わりとして空気を圧縮するピストンシリンダー装置３０を装備している。このピストンシリンダー装置３０はピストン２８とシリンダー２９とから成り、ピストン２８の作動により圧縮された空気を圧縮気流とするもので、ピストン２８のコッキング方式は手動又は電動を選択することができる。【００２４】
上記のエアガンに本発明に係る威力抑制装置を適用する場合においても、共通するバレル１６、ホップアップ装置２６などについては符号を援用し、詳細な説明を省略する。以下、さらにエアガンに適用される威力抑制装置の実施形態について、図８ないし図１３を参照して説明する。【００２５】
図８に示すエアガン用威力抑制装置の例１において、気流漏洩部２０は、圧縮気流が通過し得る噴射径路１４の一部であるバレル後端部に開けられた、常時開口の流路である小孔３１として構成されている。これはガスガン用威力抑制装置の例１の場合と同様にホップアップ装置２６が設けられており、このため小孔３１はバレル１６とホップアップ装置の筒材の両方を貫通する構造として、噴射径路外に圧縮気流を漏洩させるものである。なお、本例１はガスガン用の例１（図２）と対応する。【００２６】
図９に示すエアガン用威力抑制装置の例２では、気流漏洩部２０は、圧縮気流が通過し得る噴射径路１４の一部であるバレル１６の口径を弾丸１５の直径よりも一回り大径に設けることで、隙間３２として構成されている。隙間３２であるからこれも常時開口の流路であると言える。例２の場合、装弾部に設けたホップアップ装置２６は、やや長めに形成されることになる。例２の隙間３２は弾丸１５の周囲にて圧縮気流を漏洩させる。なお、本例２はガスガン用の例２（図３）と対応する。【００２７】
図１０に示すエアガン用威力抑制装置の例３において、気流漏洩部２０は、圧縮気流が通過し得る噴射径路１４の一部としてエアガン用シリンダー２９のノズル２９ａに開けられた、常時開口の流路である小孔３３として構成されている。例３の場合には装弾部よりも後方の位置に、スライドシリンダーノズル２９ａを貫通する構造として小孔３３が設ければ良いので、噴射径路外に圧縮気流を漏洩させるものとして構造的に最も簡単である。なお、本例３はガスガン用の例３（図４）と対応する。【００２８】
図１１に示すエアガン用威力抑制装置の例４では、気流漏洩部２０は、圧縮気流が通過し得る噴射径路１４の一部としてスライドシリンダー２９の本体部分に設けられた、常時開口の流路である小孔３４として構成されている。例４の場合には装弾部よりも後方、かつ、ピストン２８の前進限界よりも前方の位置に、スライドシリンダーノズル２９ａを貫通する構造として小孔３４が設けられている。よって、これも噴射径路外に圧縮気流を漏洩させるものとして構造的に簡単である。なお、本例４はガスガン用の例４（図５）と対応する。【００２９】
図１２に示すガスガン用威力抑制装置の例５では、気流漏洩部２０は、圧縮気流が通過し得る噴射径路１４の一部であるバレル後端部とスライドシリンダーノズル１７ａとの間に設けた、隙間３５として構成されている。これも隙間２５であるから常時開口の気流漏洩部といえる。なお、例５の隙間３５は、スライドシリンダー１７の前進位置の調整によって設定することができる。本例５はガスガン用の例５（図６）と対応する。【００３０】
図１３に示すエアガン用威力抑制装置の例６では、気流漏洩部２０は、圧縮気流が通過し得る噴射径路１４に通じる部分である、エアガン用シリンダー２９の内周面よりもピストン２８の外周の直径を一回り小径に設けることで、隙間３６として構成されている。隙間３６であるからこれも常時開口の流路であるといえる。例６の場合は、空気の圧縮能力を意図して低下させることになる。【００３１】
図１４に示すエアガン用威力抑制装置の例７では、気流漏洩部２０は、圧縮気流が通過し得る噴射径路１４に通じる部分である、エアガン用シリンダー２９の内周面を摺動するピストン２８にこれを貫通する小孔３７を設けることで構成されている。小孔３７であるから、これも常時開口の流路である。例７の場合も、空気の圧縮能力を意図して低下させる点、例５と同様である。【００３２】
このように構成されている本発明によれば、プラスチック製のＢＢ弾との比較上、より質量の大きい金属製などの弾丸が使用された場合でも、発射された弾丸の運動エネルギーが規定値を超えないように威力を抑制することができるので、想定外の威力を発揮して安全性を害するような事態を起こす危険がない。しかも、プラスチック製のＢＢ弾とそれよりも質量の大きい金属製などの弾丸を混合使用しても、ＢＢ弾の威力をほとんど低下させずに済むので、従来の威力とほぼ同等の威力の模擬銃として扱うことができ、ユーザーに不満を抱かせる恐れもない。
【図面の簡単な説明】
【００３３】
【図１】本発明に係る模擬銃における威力抑制装置の一例として、ガスガンの内部構造を示した断面説明図である。
【図２】同上の装置をガスガンに適用した例１を示す断面説明図である。
【図３】同じく例２を示す断面説明図である。
【図４】同じく例３を示す断面説明図である。
【図５】同じく例４を示す断面説明図である。
【図６】同じく例５を示す断面説明図である。
【図７】本発明に係る模擬銃における威力抑制装置の他の例として、エアガンの構造の要部を示した断面説明図である。
【図８】同上の装置をエアガンに適用した例１を示す断面説明図である。
【図９】同じく例２を示す断面説明図である。
【図１０】同じく例３を示す断面説明図である。
【図１１】同じく例４を示す断面説明図である。
【図１２】同じく例５を示す断面説明図である。
【図１３】同じく例６を示す断面説明図である。
【図１４】同じく例７を示す断面説明図である。
【符号の説明】
【００３４】
１０  模擬銃
１１  ガス源
１２  トリガー
１３  放出弁
１４  噴射径路
１５  弾丸
１６  バレル
１７  スライドシリンダー
１８  弁装置
１９  マガジン
２０  気流漏洩部
２１、２３、２４  小孔
２２、２５  隙間
２６  ホップアップ装置
２７  ガスガンのピストン
２８  エアガンのピストン
２９  エアガンのシリンダー
３０  ピストンシリンダー装置
３１、３３、３４、３７  小孔
３２、３５、３６  隙間
【図１】
2015198393.tif 000003
【図２】
2015198393.tif 000004
【図３】
2015198393.tif 000005
【図４】
2015198393.tif 000006
【図５】
2015198393.tif 000007
【図６】
2015198393.tif 000008
【図７】
2015198393.tif 000009
【図８】
2015198393.tif 000010
【図９】
2015198393.tif 000011
【図１０】
2015198393.tif 000012
【図１１】
2015198393.tif 000013
【図１２】
2015198393.tif 000014
【図１３】
2015198393.tif 000015
【図１４】
2015198393.tif 000016
【国際調査報告】
2015198393.tif 000017
2015198393.tif 000018